(57)【要約】【課題】ケースと計測器本体との半円溝の径が異なる場合でも、これらケースと計測器本体とをそのまま使用可能とし、組み立てを容易に行うことが可能な計測器の提供を目的とする。【解決手段】本発明の水道メータ１０では、ケース１１と計測器本体１２との間で、第１及び第２の半円溝４１，４２の径が異なる場合でも、それら第１及び第２の半円溝４１，４２に対応させて、異なる径の半円柱体を接合した構造の異形ピン５０Ｂを用いることで、ケース１１と計測器本体１２とがそのまま使用可能となり、従来必要とされた追加加工が不要になり、ケース１１と計測器本体１２との組み付け作業の効率が向上する。また、異形ピン５０Ｂは合成樹脂の成形品であるので、異形ピン５０Ｂを部材から削り出す場合に比べて安価に製造することができる。【選択図】  図２
2004177379.tif 000002
【特許請求の範囲】
【請求項１】
ケースに形成された丸形開口の内部に丸形の計測器本体を嵌合して備え、前記計測器本体の外周面には軸方向に延びた第１の半円溝が形成されると共に、前記丸形開口の内周面には軸方向に延びた第２の半円溝が形成され、それら第１及び第２の半円溝を対向させてなる孔に組み付けたピンにより、前記丸形開口内に前記計測器本体を回り止めした計測器において、
前記計測器本体には、前記第１の半円溝の径が異なる複数種類が備えられると共に、前記ケースには、前記第２の半円溝の径が異なる複数種類が備えられ、前記ピンは、前記第１及び第２の半円溝の径が異なる場合に対応して、異なる径の半円柱体を接合した構造に形成されたことを特徴とする計測器。
【請求項２】
前記ピンは、合成樹脂の成形品であることを特徴とする請求項１に記載の計測器。
【請求項３】
前記合成樹脂は、全体を１００重量％とした場合に、８０〜９５重量％のＡＢＳ樹脂と、５〜２０重量％のガラス繊維とからなることを特徴とする請求項２に記載の計測器。
【請求項４】
前記ピンには、前記半円柱体の外周部分の一部を切除して退避面が形成され、その退避面に樹脂成形用金型のゲートを配置可能としたことを特徴とする請求項２又は３に記載の計測器。
【請求項５】
前記ピンの端面には、前記ピンの種類に関する識別子が表示されたことを特徴とする請求項１乃至４の何れかに記載の計測器。
【発明の詳細な説明】
【０００１】
【発明の属する技術分野】
本発明は、ケースに形成された丸形開口の内部に丸形の計測器本体を嵌合して備えた計測器に関する。
【０００２】
【従来の技術】
一般に、計測器としての水道メータは、ケースに形成された丸形開口の内部に丸形の計測器本体を嵌合して備える。そして、水道メータのメンテナンスを行う場合には、各家庭から複数の水道メータがメンテナンス工場に集められ、ケースから計測器本体を取り出し、検査済み或いは新規の計測器本体をケースに嵌合する。そして、計測器本体の外周面に形成された半円溝と、丸形開口の内周面に形成された半円溝とを対応させ、そこに丸棒状の「目くぎ」と呼ばれるピンを挿入して、丸形開口内に計測器本体を回り止めする。
【０００３】
なお、本件の従来技術を掲載した先行技術文献は、見つけられなかった。
【０００４】
【発明が解決しようとする課題】
ところで、上記した目くぎの径は各地方公共団体や製造メーカによって異なり、メンテナンス工場には、異なる径の目くぎを備えた複数種類の水道メータが集められる。このため、半円溝の径が異なるケースと計測器本体とが組み合わされる場合があった。このような場合には、これらケースと計測器本体とをそのまま使用することができず、従来は、ケース又は計測器本体の何れか一方に追加加工を施して半円溝の径を同じにするという作業を強いられていたので、ケースと計測器本体との組み立て作業に手間がかかっていた。
【０００５】
本発明は、上記事情に鑑みてなされたもので、ケースと計測器本体との半円溝の径が異なる場合でも、これらケースと計測器本体とをそのまま使用可能とし、組み立てを容易に行うことが可能な計測器の提供を目的とする。
【０００６】
【課題を解決するための手段】
上記目的を達成するためになされた請求項１の発明に係る計測器は、ケースに形成された丸形開口の内部に丸形の計測器本体を嵌合して備え、計測器本体の外周面には軸方向に延びた第１の半円溝が形成されると共に、丸形開口の内周面には軸方向に延びた第２の半円溝が形成され、それら第１及び第２の半円溝を対向させてなる孔に組み付けたピンにより、丸形開口内に計測器本体を回り止めした計測器において、計測器本体には、第１の半円溝の径が異なる複数種類が備えられると共に、ケースには、第２の半円溝の径が異なる複数種類が備えられ、ピンは、第１及び第２の半円溝の径が異なる場合に対応して、異なる径の半円柱体を接合した構造に形成されたところに特徴を有する。
【０００７】
なお、本発明において、「丸形の計測器本体」とは、断面が丸形をなすものをいう。
【０００８】
請求項２の発明は、請求項１に記載の計測器において、ピンは、合成樹脂の成形品であるところに特徴を有する。
【０００９】
請求項３の発明は、請求項２に記載の計測器において、合成樹脂は、全体を１００重量％とした場合に、８０〜９５重量％のＡＢＳ樹脂と、５〜２０重量％のガラス繊維とからなるところに特徴を有する。
【００１０】
請求項４の発明は、請求項２又は３に記載の計測器において、ピンには、半円柱体の外周部分の一部を切除して退避面が形成され、その退避面に樹脂成形用金型のゲートを配置可能としたところに特徴を有する。
【００１１】
請求項５の発明は、請求項１乃至４の何れかに記載の計測器において、ピンの端面には、ピンの種類に関する識別子が表示されたところに特徴を有する。
【００１２】
【発明の作用及び効果】
＜請求項１の発明＞
請求項１の計測器では、メンテナンスの際に、ケースと計測器本体との間で、第１及び第２の半円溝の径が異なる場合でも、それら第１及び第２の半円溝に対応する半円柱体を接合した構造のピンを用いることで、ケースと計測器本体とがそのまま使用可能となり、従来必要とされた追加加工が不要になって、ケースと計測器本体との組み立て作業効率が向上する。
【００１３】
＜請求項２及び３の発明＞
請求項２の計測器では、ピンが合成樹脂の成形品であるので、ピンを部材から削り出す場合に比べて安価に製造することができる。ここで、合成樹脂は、全体を１００重量％とした場合に、８０〜９５重量％のＡＢＳ樹脂と、５〜２０重量％のガラス繊維とからなることが強度的に好ましい（請求項３の発明）。
【００１４】
＜請求項４の発明＞
請求項４の構成では、樹脂成形用金型から取り出した状態では、ピンにおける退避面にランナーが連続した状態になる。ここで、退避面は、ピンのうち半円柱体の外周部分の一部を切除してなるので、ピンをランナーから切り離して退避面に突起が残ってもその突起はピンの外周部分からは突出しない。従って、退避面に残った突起を切除せずにピンを用いることができ、作業効率が向上する。
【００１５】
＜請求項５の発明＞
請求項５の構成では、ピンの端面に表示された識別子に基づいて、容易にピンの種類を識別することができる。
【００１６】
【発明の実施の形態】
以下、本発明を適用した水道メータ１０に関する一実施形態を、図１〜図３に基づいて説明する。本実施形態の水道メータ１０に備えたケース１１は、円柱部１３の外周面から相反する方向に一対の管路１４，１４を延設した構造をなし、これら管路１４，１４が、図示しない水道管に連結されるようになっている。
【００１７】
図１に示すように、ケース１１のうち円柱部１３の上端には、本発明に係る丸形開口２０が形成されており、その丸形開口２０の内側に計測器本体１２が嵌合されている。計測器本体１２は、表示ユニット３０と測定ユニット３１とを上下に結合してなり、全体として概ね円柱状をなしている。
【００１８】
測定ユニット３１は、内部に羽根車３２を備え、測定ユニット３１内を流れる流量に応じてこの羽根車３２が回転する。測定ユニット３１の軸方向の途中部分からは側方に向かってフランジ３３が張り出しており、このフランジ３３がケース１１の内壁に上方から押し当てられている。測定ユニット３１の軸方向の上端部は、上端開放の円筒壁３４を備え、その円筒壁３４の内側に表示ユニット３０の下部が挿入されている。そして、表示ユニット３１には、羽根車３２の上端部に備えたマグネット３９と対向する位置に磁気センサー４０が備えられ、この磁気センサー４０により、羽根車３２の回転が検出されている。
【００１９】
表示ユニット３０は、下方に向かって段付き状に先細りになっており、その段付き部分の外側角部に測定ユニット３１の上端縁（即ち、円筒壁３４の上端縁）が嵌合している。そして、表示及び測定の両ユニット３０，３１の外周面３０Ａ，３１Ａが面一になって計測器本体１２の外周面１２Ａが構成されて、前記丸形開口２０の内周面に嵌合している。
【００２０】
表示ユニット３０の上端寄り位置からは、側方に向かってフランジ３５が張り出し、このフランジ３５と丸形開口２０の上端縁との間にはＯリング３６が挟まれている。そして、表示ユニット３０の上方から蓋構成部１５が組み付けられている。
【００２１】
蓋構成部１５は、図１に示すように扁平筒状のベース部１６の上端部に円筒状の表示部４３を備え、その表示部４３に回動蓋１７を回動可能に備える。そして、蓋構成部１５は、表示ユニット３０の上方を覆った状態で円柱部１３の上端部に螺合され、表示ユニット３０に押し付けられている。これにより、前記Ｏリング３６が潰されて、円柱部１３の上面開口が密閉されている。
【００２２】
図２（Ａ）には、計測器本体１２と丸形開口２０との嵌合部分の平断面が示されている。同図に示すように計測器本体１２の外周面には、断面半円形の第１の半円溝４１が軸方向に延びており、丸形開口２０の内周面には、断面半円形の第２の半円溝４２が軸方向に延びている。そして、これら第１及び第２の半円溝４１，４２とを対向させてなる孔にピン５０を組み付けたことで、ケース１１内に計測器本体１２が回り止めされている。従って、蓋構成部１５を螺合する際にも、計測器本体１２は回らず、一箇所に固定されている。
【００２３】
なお、第１の半円溝４１は、図１に示すように、計測器本体１２のうち表示ユニット３０の外周面３０Ａと測定ユニット３１の外周面３１Ａとの境界部を跨いで延びている。
【００２４】
さて、図２（Ａ）に示したものでは、第１及び第２の半円溝４１，４２の径が同じであるが、計測器本体１２には、第１の半円溝４１の径が異なる複数種類が備えられると共に、ケース１１にも、第２の半円溝４２の径が異なる複数種類が備えられている。このため、例えば、異なる径の第１及び第２の半円溝４１，４２を対向させたときには、図２（Ｂ）に示すように周方向に段差ができた異形孔が形成される。
【００２５】
そこで、ピン５０に関しても丸棒状の通常ピン５０Ａ（図２（Ａ）参照）以外に、異なる径の半円柱体を接合した構造をなす異形ピン５０Ｂ（図２（Ｂ）及び図３参照）が予め揃えられている。ここで、異形ピン５０Ｂを構成する半円柱体の一方は第１の半円溝４１に対応した径をなし、他方は第２の半円溝４２に対応した径をなす。また、異形ピン５０Ｂは、異なる径の第１及び第２の半円溝４１，４２に関する全ての組み合わせに対応して複数種類が揃えられ、各種類を識別するための識別子Ｓ１（図３（Ａ）参照）が異形ピン５０Ｂの一端面に表示されている。
【００２６】
ところで、異形ピン５０Ｂは、合成樹脂の成形品であり、その合成樹脂は、例えば、ＡＢＳ樹脂にガラス繊維を混合してなる。また、図３（Ａ）及び図３（Ｂ）に示すように、異形ピン５０Ｂには、大径側の半円柱体の一部を平坦にカットした形状の退避面５０Ｃが形成されており、異形ピン５０Ｂを成形するための樹脂成形用金型（図示せず）のゲートが、退避面５０Ｃを成形する部分に配置されている。これにより、樹脂成形用金型から異形ピン５０Ｂを取り出したときには、異形ピン５０Ｂの退避面５０Ｃにランナーが連続した状態になっている。従って、異形ピン５０Ｂをランナーから切り離して退避面５０Ｃに突起が残っても、その突起は異形ピン５０Ｂの外周面全体からは突出せず、突起を切除せずに異形ピン５０Ｂを用いることができる。
【００２７】
本実施形態の水道メータ１０の構成は以上であり、以下、その作用効果について説明する。水道メータ１０のメンテナンスを行う場合には、各家庭から複数の水道メータ１０がメンテナンス工場に集められる。そして、ケース１１から計測器本体１２を取り出し、検査済み或いは新規の計測器本体１２をケース１１に嵌合し、計測器本体１２の第１の半円溝４１とケース１１の第２の半円溝４２とを対向させる。
【００２８】
このとき、第１及び第２の両半円溝４１，４２の径が同じである場合には、図２（Ａ）に示すように、両半円溝４１，４２を対向させた孔が丸孔になるので、そこに断面丸形の通常ピン５０Ａを挿入する。一方、第１及び第２の両半円溝４１，４２の径が異なる場合には、図２（Ｂ）に示すように、両半円溝４１，４２を対向させた孔が異形状になるので、そこに異形ピン５０Ｂを挿入する。
【００２９】
より詳細には、計測器本体１２を構成する各ユニット３０，３１に形成された第１の半円溝４１，４１同士を整合させて、これら半円溝４１，４１にピン５０（通常ピン５０Ａ又は異形ピン５０Ｂ）を嵌め込む。次いで、計測器本体１２に嵌め込んだピン５０をケース１１に形成された第２の半円溝４２に対応させて、計測器本体１２をケース１１内に挿入する。そして、表示ユニット３０を覆うように蓋構成部１５をケース１１に螺合する。このとき、蓋構成部１５と表示ユニット３０の上面とが摺接しても、測定ユニット３１はピン５０によってケース１１に固定されたままになる。なお、上述したケース１１と計測器本体１２との組み付け作業は、水道メータ１０のメンテナンス時に限らず、新規の水道メータ１０の製造時でも同様にして行われる。
【００３０】
このように本実施形態の水道メータ１０では、ケース１１と計測器本体１２との間で、第１及び第２の半円溝４１，４２の径が異なる場合でも、異なる径の半円柱体を接合した構造の異形ピン５０Ｂを用いることで、ケース１１と計測器本体１２とがそのまま使用可能となり、従来必要とされた追加加工が不要になり、ケース１１と計測器本体１２との組み付け作業の効率が向上する。また、異形ピン５０Ｂは合成樹脂の成形品であるので、異形ピン５０Ｂを部材から削り出す場合に比べて安価に製造することができる。
【００３１】
なお、本実施形態の異形ピン５０Ｂを構成する合成樹脂は、全体を１００重量％とした場合に、例えば、ＡＢＳ樹脂９０重量％、ガラス繊維１０％とすることが強度的に好ましい。そこで、上記組成の合成樹脂で実際に製造した異形ピン５０Ｂを用いて、水道メータ１０の蓋構成部１５の取り付け、取り外しを所定回数繰り返す実験を行ったところ、異形ピン５０Ｂに傷・クラックが生じることはなかった。
【００３２】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記実施形態の異形ピン５０Ｂは、合成樹脂の成形品であったが、金属や合成樹脂を引き抜いて形成したものであってもよい。
【００３３】
（２）前記実施形態では、本発明を水道メータ１０に適用したものを例示したが、ケースに形成された丸形開口の内部に丸形の計測器本体を嵌合して備えた計測器であれば、水道メータに限定されない。
【００３４】
（３）前記実施形態では、表示ユニット３０に備えた磁気センサー４０によって、羽根車３２に備えたマグネット３９の回転を検出して、流量を計測していたが、羽根車３２の上端部と、表示ユニット３０に内蔵された機構部とをマグネットカップリングにて連結して、流量を計測するようにしてもよい。
【図面の簡単な説明】
【図１】本発明の一実施形態に係る水道メータの側断面図
【図２】（Ａ）第１及び第２の半円溝の径が同じ場合の部分断面図
（Ｂ）第１及び第２の半円溝の径が異なる場合の部分断面図
【図３】（Ａ）異形ピンの平面図
（Ｂ）異形ピンの側面図
【符号の説明】
１０…水道メータ
１１…ケース
１２…計測器本体
１３…円柱部
２０…丸形開口
３０…表示ユニット
３１…測定ユニット
４１…第１の半円溝
４２…第２の半円溝
５０…ピン
５０Ａ…通常ピン
５０Ｂ…異形ピン
【図１】
2004177379.tif 000003
【図２】
2004177379.tif 000004
【図３】
2004177379.tif 000005